(57)【要約】【課題】  外力により充電端子が塑性変形するという問題があった。また、充電端子が塑性変形すると、安定した充電を行うことができないという問題も発生し得る。【解決手段】  上記課題を解決すべく、充電端子は、板状の導電性部材を曲げることにより形成されたものであって、導電性部材上に設けられた、外部電源から電力を供給する充電器側の端子部と接する充電器側端子部５−ａ、導電性部材に設けられ、充電器側端子部５−ａから伝達された電力を電池に充電するための経路が形成された基板７と接する基板側接点部５−ｂ、充電器側端子部５−ａに加えられた外力が基板側接点部５−ｂに作用しないよう、導電性部材を曲げて形成されて基板側接点部５−ｂを支持する支持部５−ｄを設けることとした。【選択図】  図３
2008104060.tif 000002
【特許請求の範囲】
【請求項１】
筐体と、
この筐体内に設けられて、少なくとも電子部品に電力を供給する経路が形成された基板と、
板状の導電性部材を曲げることにより形成されたものであって、前記導電性部材上に設けられた、外部電源から電力を供給する充電器側の端子部と接する充電器側端子部、前記導電性部材に設けられ、前記充電器側端子部から伝達された電力を電池に充電するための経路が形成された基板と接する基板側接点部、前記充電器側端子部に加えられた外力が前記基板側接点部に作用しないよう、前記導電性部材を曲げて形成されて前記基板側接点部を支持する支持部を備えた充電端子とを設けたことを特徴とする電子機器。
【請求項２】
板状の導電性部材を曲げることにより形成されたものであって、前記導電性部材上に設けられた、外部電源から電力を供給する充電器側の端子部と接する充電器側端子部、前記導電性部材に設けられ、前記充電器側端子部から伝達された電力を電池に充電するための経路が形成された基板と接する基板側接点部、前記充電器側端子部に加えられた外力が前記基板側接点部に作用しないよう、前記導電性部材を曲げて形成されて前記基板側接点部を支持する支持部を設けたことを特徴とする充電端子。
【請求項３】
充電器側端子部は、筐体に設けられた孔を介して充電器側の端子部と接するものであり、前記筐体の孔の外周に沿って前記充電器側端子部の一部に凸部が設けられており、この凸部において前記筐体の内周壁に接することを特徴とする請求項２に記載の充電端子。
【請求項４】
支持部は、筐体の内壁に設けられた係合爪と係合される係合部が形成されており、前記係合部に前記係合爪が嵌合されて前記筐体に固定されることを特徴とする請求項２に記載の充電端子。
【発明の詳細な説明】
【技術分野】
【０００１】
本発明は、例えば携帯電話機のような電子機器に関するものであり、特に電子機器に安定して充電するための充電端子に関するものである。
【背景技術】
【０００２】
特許文献１には、携帯電話機などの電子機器の凹部に受電端子が形成されている場合に、充電器の充電端子が電子機器のケース部に擦れることなく受電端子に直接的に摺接接続可能にするよう充電端子構造が開示されている。
【０００３】
【特許文献１】特開２００５−１１７７００号公報
【０００４】
また、特許文献２には、一端がコの字型に形成され、この端部を筐体に係合したときに、筐体の表面と同一面となる接続部はＬ字型に形成された充電端子が開示されている。特許文献２によると、この充電端子を筐体底部に形成された充電端子との係合部の凹部に、接続部の先端を係合させて設けることにより、回路基板に対して接触の安定性を保ちつつ、筐体に対して横方向のずれの生じることのない取付け構造を得ることができると説明されている。
【特許文献２】特開２０００−３３２８６９号公報
【０００５】
また、特許文献３には、携帯電話機用充電器における充電端子などに適用される端子取付け構造として、ねじ止めを必要とせず、スライド操作でワンタッチ装着可能な取付け構造が開示されている。具体的には、特許文献３は、基板部と、基板部の先端部を該基板部の上に折り返して形成される弾性舌片と、基板部の両側に設けた切込部を起立させて形成される弾性爪片とを一体に具備した端子を、カバーに開口される舌片露出穴の内側に設けた基板部取付け溝に、上記弾性爪片を撓ませながらスライドさせて装着するようにしたことを特徴とする端子の取付け構造である。
【特許文献３】実開１９９３−１１６０６号公報
【発明の開示】
【発明が解決しようとする課題】
【０００６】
ところで、従来技術の充電端子（充電器との接点部）位置はほぼ底面に配置されており、基板（板バネ）接点部と充電器接点部との位置関係が垂直方向の配置となっている。その垂直配置で充電部に外力を受けた場合、その外力は筐体で受ける構造となっており、基板接点側の板バネに力がかからない構造となっている。しかしながら、充電端子部を底面ではなく背面に配置する場合、基板接点部と充電器接点部との位置関係は水平方向の配置となるため、充電器接点部に外力がかかるとその力がそのまま基板板バネ接点部に負荷がかかることになり、板バネ部の変形等の問題が発生する可能性がある。板バネ部が塑性変形すると接触が不安定になり、安定した充電を行えない可能性もある。
【課題を解決するための手段】
【０００７】
本発明に係る電子機器は、上記のような課題を解決するためになされたものであり、筐体と、少なくとも電子部品に電力を供給する経路が形成された基板と、板状の導電性部材を曲げることにより形成されたものであって、前記導電性部材上に設けられた、外部電源から電力を供給する充電器側の端子部と接する充電器側端子部、導電性部材に設けられ、充電器側端子部から伝達された電力を電池に充電するための経路が形成された基板と接する基板側接点部、充電器側端子部に加えられた外力が基板側接点部に作用しないよう、導電性部材を曲げて形成されて前記基板側接点部を支持する支持部を備えた充電端子とを設けたものである。
【０００８】
本発明に係る充電端子は、板状の導電性部材を曲げることにより形成されたものであって、導電性部材上に設けられた、外部電源から電力を供給する充電器側の端子部と接する充電器側端子部、導電性部材に設けられ、充電器側端子部から伝達された電力を電池に充電するための経路が形成された基板と接する基板側接点部、充電器側端子部に加えられた外力が前記基板側接点部に作用しないよう、導電性部材を曲げて形成されて基板側接点部を支持する支持部を設けたものである。
【発明の効果】
【０００９】
本発明に係る電子機器は、筐体と、少なくとも電子部品に電力を供給する経路が形成された基板と、板状の導電性部材を曲げることにより形成されたものであって、前記導電性部材上に設けられた、外部電源から電力を供給する充電器側の端子部と接する充電器側端子部、導電性部材に設けられ、充電器側端子部から伝達された電力を電池に充電するための経路が形成された基板と接する基板側接点部、充電器側端子部に加えられた外力が基板側接点部に作用しないよう、導電性部材を曲げて形成されて前記基板側接点部を支持する支持部を備えた充電端子とを設けたので、基板への接点部となる板バネが塑性変形するという問題を防止することができ、電子機器を駆動する電池に安定した充電を行うことができる。
【００１０】
本発明に係る充電端子は、板状の導電性部材を曲げることにより形成されたものであって、導電性部材上に設けられた、外部電源から電力を供給する充電器側の端子部と接する充電器側端子部、導電性部材に設けられ、充電器側端子部から伝達された電力を電池に充電するための経路が形成された基板と接する基板側接点部、充電器側端子部に加えられた外力が前記基板側接点部に作用しないよう、導電性部材を曲げて形成されて基板側接点部を支持する支持部を設けたので、基板への接点部となる板バネが塑性変形するという問題を防止することができる。
【発明を実施するための最良の形態】
【００１１】
実施の形態１．
本発明は、上記のような充電端子の基板接点部と基板を水平配置にした時に、板金接点部が塑性変形しないために、充電器側端子部と基板側接点部とを有する携帯電話機の充電端子を板金等の導電性部材の曲げにより形成し、基板側接点部において、充電端子の板金曲げを施す四辺のうち一辺は、バネ性を持たせた板バネにて基板に接触させる。また、残りの板金曲げの三辺については、充電端子部が外力を受けた時に、その外力を支える支持部として剛性を確保する構造とする。充電器側端子部においては、充電端子を筐体に取付けるため、筐体に係合爪である引っ掛けツメを設け、基板側の接点であるバネ性を持たせていない板金曲げ部以外の三辺（支持部）を各々、筐体側の引っ掛けツメに仮固定させ、充電器側端子部（平面部の外周部は全周凸形状とする。）を充電器の接点に接触させる構造である。
【００１２】
次に、本発明について、図を用いて詳細に説明する。図１は携帯電話機の背面側の外観を示す斜視図である。図２は充電端子の外観を示す斜視図である。図１、図２に示すとおり、パネル部である表示部１とキー操作する操作部２と電力源である電池３が収納されている筐体４で構成されている。機能として、電池３への充電機能があり、電池３を充電するための充電端子５があり、外部電源より充電器の接点端子６と充電端子５を接触し、その充電端子５は携帯電話機の内部にある基板７と接触し、その基板７を介して電池３を充電する。基板７には電子部品が実装されるとともに、電子部品に電力を供給する経路が形成されている。次に、充電端子５の充電器側と基板側との接点部（充電器側端子部、基板側接点部）は、それぞれ充電器側の接点部５−ａ、基板側の接点部５−ｂに対応する。充電端子５を板状の導電部材である板金の曲げで形成するときに、箱の蓋のように曲げる四辺のうち、一辺５−ｃは基板７側の接点部５−ｂとして使用し、板金の曲げによりバネ性を持たせた板バネとして基板７に接触させる。その他の板金曲げ三辺５−ｄ（支持部）はバネ性を持たせず、外力を支える剛性を持たせるための板金の曲げを施し、筐体４に取付けのための切り欠き５−ｅを係合部として設ける。また、充電端子５の充電器側の接点である板金平面部５−ａの外周全周に凸段差５−ｆを設ける。この凸段差５−ｆは筐体の孔の外周に沿って形成されている。筐体４には充電端子５を固定する係合爪である引っ掛けツメ４−ａを設け、充電端子５の三辺の切り欠き部５−ｅを筐体４の引っ掛けツメ４−ａに嵌合させる。図３は充電端子を基板に取付けた状態を示す斜視図である。
【００１３】
図４は充電端子が筐体の底面に設けられた携帯電話機の背面側の外観を示す斜視図である。図５は一般的な充電端子の取付け構造を示す断面図である。一般的な充電端子５と基板７の配置が垂直配置の携帯電話機は、図４、図５に示すように、パネル部である表示部１とキー操作する操作部２と電力源である電池３が収納されている筐体４で構成されている。図４に示す携帯電話機は、筐体４の底面には電池３を充電するための充電端子５が設けられている点で、筐体背面に充電端子が設けられた図１に示す携帯電話機とは構成が異なる。電池３に充電を行う際、外部電源と接続された充電器の接点端子６が携帯電話機の充電端子５を接触し、充電される。充電端子５は携帯電話機の内部にある基板７と電気的な接続が保たれており、その基板７を介して電池３に充電される。充電端子５の充電器側の接点部５−ａの位置は携帯電話機の底面に配置されており、充電端子５の充電器側の接点部５−ａと充電端子５の基板７への板バネ接点部５−ｂとの位置関係が垂直方向配置となっている。その垂直配置で、充電端子５の充電器側の接点部５−ａに外力を受けた場合、その外力は筐体４のリブ４−ｂで受ける構造となっており、基板７側への接点である板バネ接点部５−ｂに外力が直接かからない構造となっている。
【００１４】
図６は充電端子の外観を示す斜視図であり、図２に示す本発明にかかる充電端子との比較のため示すものである。図６に示す充電端子は、図２に示す充電端子と異なり、外力を支えるための剛性を確保する板金曲げ三辺５−ｄが形成されていない。この場合、充電端子５の充電器側の接点部５−ａに外力がかかると、その力がそのまま充電端子５の基板側の板バネ接点部５−ｂに負荷がかかることになり、基板側の板バネ接点部５−ｂに過負荷がかかり塑性変形する可能性がある。これに対して本発明は、図２に示すように、携帯電話機の充電端子５と基板７の配置関係が水平配置の場合でも、充電端子５の板金曲げを施す四辺のうち、一辺５−ｃは基板７側の接点のためバネ性を持たせ、それ以外の板金曲げの三辺部５−ｄにて外力を受ける構造としているため、充電端子５の板バネ部５−ｃに過負荷がかからないので、接点部５−ａに外力が加わっても板バネ接点部５−ｂに過負荷が係り塑性変形するという問題を防止することができる。つまり、塑性変形による充電端子の接触不良という問題を抑制できるので、携帯電話機のような電子機器に安定した充電を行うことができる。また、充電端子５の充電器側の接点部５−ａである板金平面部の外周に凸形状５−ｆを設けることにより、携帯電話機の内部への埃等の浸入を防ぐ構造とし、防塵効果を持った構造とする。また、筐体４と基板７との空間を小型化できるので、携帯電話の厚みを薄型化できる効果もある。
【００１５】
上記説明のとおり、本発明に係る充電端子は、充電器側の端子部と基板側の接点部とを接触させる携帯電話機の充電端子を板金の曲げにより形成し、基板側の接点部において、充電端子の板金曲げを施す四辺のうち一辺は、バネ性を持たせた板バネにて基板側の接点部に接触させ、ほかの板金曲げの三辺については、充電端子部が外力を受けた時に、その外力を支える剛性を持たせる構造とした。また、充電器側の接点部においては、充電端子を取付けるため、筐体に引っ掛けツメを設け、基板側の接点であるバネ性を持たせていない板金曲げ部以外の三辺を各々、筐体側の引っ掛けツメに仮固定させ、充電端子の平面部（平面部の外周部は全周凸形状とする。）を充電器の接点に接触させる構造とした。上記記載の構造を採用することにより、充電端子の板金曲げを施す四辺のうち、一辺は基板側の接点のためにバネ性を持たせ、それ以外の板金曲げの三辺部にて、外力を受ける構造となっているため、基板への接点部となる板バネには、板バネが塑性変形に至るような過負荷がかからない。また、充電端子の充電器側の接点部である板金平面部の外周に板金曲げにより凸形状を設けることにより、携帯電話機の内部への埃等の浸入を防ぐ構造とし、防塵効果を持った構造とする。また、筐体と基板との空間を小型化できるので、携帯電話の厚みを薄形化できる効果もある。
【図面の簡単な説明】
【００１６】
【図１】携帯電話機の背面側の外観を示す斜視図である。
【図２】充電端子の外観を示す斜視図である。
【図３】充電端子を基板に取付けた状態を示す斜視図である。
【図４】充電端子が筐体の底面に設けられた携帯電話機の背面側の外観を示す斜視図である。
【図５】充電端子の取付け構造を示す断面図である。
【図６】充電端子の外観を示す斜視図である。
【符号の説明】
【００１７】
１  表示部、２  操作部、３  電池、４  筐体、５  充電端子、６  接点端子、
７  基板
【図１】
2008104060.tif 000003
【図２】
2008104060.tif 000004
【図３】
2008104060.tif 000005
【図４】
2008104060.tif 000006
【図５】
2008104060.tif 000007
【図６】
2008104060.tif 000008